(57)【要約】      （修正有）【課題】遊技機内に設置されるコイン状部材送出装置において、修理、点検、詰まったコイン状部材や内部に入った異物の取り除き等の場合には、遊技機の前面扉を開いて、コイン状部材送出装置を前方へ取り外さなければならない場合がある。本発明は、多数のコイン状部材が収容された重量のある状態において、引き出し易い引き出し取っ手構成を提供する。【解決手段】遊技機内に設置されるコイン状部材送出装置２において、貯蔵容器（ホッパ）５Ｐ内には、前面側の壁に沿って側面側の壁に形成したオーバーフロー出口５Ｘに向かって低くなるようにオーバーフローガイド部４２が傾斜して設けられ、貯蔵容器（ホッパ）５Ｐの前面側の壁には、オーバーフローガイド部４２の下方空間に対応して指掛け式引き出し用取っ手８０を配置したこと。【選択図】図３
2008033421.tif 000002
【特許請求の範囲】
【請求項１】
遊技機内に設置される架台上のベース部材上に遊技用コイン状部材を収容する貯蔵容器（ホッパ）を設け、複数の分離孔を形成して前記ベース部材上に配置した送出ロータの回転によって、前記貯蔵容器（ホッパ）に収容したコイン状部材を１枚ずつ送出口から送出するコイン状部材送出装置において、  前記貯蔵容器（ホッパ）内には、前面側の壁に沿って側面側の壁に形成したオーバーフロー出口に向かって低くなるようにオーバーフローガイド部が傾斜して設けられ、前記貯蔵容器（ホッパ）の前面側の壁には、前記オーバーフローガイド部の下方空間に対応して指掛け式引き出し用取っ手を配置したことを特徴とするコイン状部材送出装置。
【請求項２】
前記貯蔵容器（ホッパ）を合成樹脂製とし、前記オーバーフローガイド部と上方へ窪んだ複数の指掛け凹部の指掛け部を形成した前記引き出し用取っ手を前記下方空間の前壁に同時成形したことを特徴とする請求項１記載のコイン状部材送出装置。
【発明の詳細な説明】
【技術分野】
【０００１】
本発明は、ベース部材上に設けた貯蔵容器（ホッパ）内のコイン状部材をベース部材上に配置した送出ロータの回転によって１枚ずつ送出する送出装置に関する。
【背景技術】
【０００２】
貯蔵容器に貯留した硬貨、遊技用メダル等のコイン状部材を貯蔵容器の底部に設けたロータの回転によって１枚ずつ送出する送出装置がある。その代表的な構成として、硬貨、遊技用メダル等のコイン状部材を貯蔵する貯蔵容器（ホッパ）の底部には、電動機装置によって一方向へ回転する円盤状の送出ロータが設けられ、この送出ロータには複数の分離孔が略等間隔に同心円上に配置され、この送出ロータの回転に伴って、複数の分離孔にそれぞれコイン状部材が順次入りつつ、分離孔に入ったコイン状部材は、分離孔の底部から送出ロータの円周方向へ１枚ずつ押し出されて、貯蔵容器の側面部に形成した送出部からコイン状部材が１枚ずつ送出される。（例えば、特許文献１参照）。
【０００３】
この特許文献１のようなコイン状部材送出装置は、遊技機内に設置され、遊技機のコイン状部材挿入口へ挿入されたコイン状部材を、選別計数装置を経てガイド樋から貯蔵容器（ホッパ）内へ収容するように構成されるが、修理、点検、詰まったコイン状部材や内部に入った異物の取り除き等の場合には、遊技機の前面扉を開いて、コイン状部材送出装置を前方へ取り外さなければならない場合がある。
【特許文献１】特開２００４−３１８５９５号公報
【発明の開示】
【発明が解決しようとする課題】
【０００４】
本発明は、このような点に鑑みて、修理、点検、詰まったコイン状部材や内部に入った異物の取り除き等の場合に、遊技機の前面扉を開いて、コイン状部材送出装置を前方へ引き出し可能とすると共に、多数のコイン状部材が収容された重量のある状態において、容易に引き出しができるような引き出し取っ手構成を提供するものである。
【課題を解決するための手段】
【０００５】
第１発明のコイン状部材送出装置は、遊技機内に設置される架台上のベース部材上に遊技用コイン状部材を収容する貯蔵容器（ホッパ）を設け、複数の分離孔を形成して前記ベース部材上に配置した送出ロータの回転によって、前記貯蔵容器（ホッパ）に収容したコイン状部材を１枚ずつ送出口から送出するコイン状部材送出装置において、  前記貯蔵容器（ホッパ）内には、前面側の壁に沿って側面側の壁に形成したオーバーフロー出口に向かって低くなるようにオーバーフローガイド部が傾斜して設けられ、前記貯蔵容器（ホッパ）の前面側の壁には、前記オーバーフローガイド部の下方空間に対応して指掛け式引き出し用取っ手を配置したことを特徴とする。
【０００６】
第２発明のコイン状部材送出装置は、第１発明において、前記貯蔵容器（ホッパ）を合成樹脂製とし、前記オーバーフローガイド部と上方へ窪んだ複数の指掛け凹部の指掛け部を形成した前記引き出し用取っ手を前記下方空間の前壁に同時成形したことを特徴とする。
【発明の効果】
【０００７】
第１発明では、引き出し用取っ手が多数のコイン状部材が収納される貯蔵容器（ホッパ）の前面側の壁に形成されるため、下方位置に引き出し用取っ手を設けた場合に比して、コイン状部材送出装置の引き出し操作がし易くなる。また、オーバーフローガイド部の下方に指掛け式引き出し用取っ手を配置するため、貯蔵容器（ホッパ）を合成樹脂製とする場合に形成されるオーバーフローガイド部の下方空間を有効利用できることとなり、引き出し用取っ手を貯蔵容器（ホッパ）の他の部分に形成したときには、余分に貯蔵容器（ホッパ）の内容積の減少が生じるが、本発明ではそれがない。
【０００８】
第２発明では、第１発明の効果に加えて、貯蔵容器（ホッパ）を合成樹脂製とすることによって、オーバーフローガイド部と取っ手を貯蔵容器（ホッパ）の前面側の壁５Ｐ１に一体成形できるため、オーバーフローガイド部と取っ手の形成が容易となり、上方へ窪んだ複数の指掛け部の形成もし易くなり、この窪んだ複数の指掛け凹部の指掛け部によって、取っ手の位置表示が明確となると共に、そこに指先を掛けて行なう引き出し操作がし易くなる。
【発明を実施するための最良の形態】
【０００９】
本発明のコイン状部材送出装置は、遊技機内に設置される架台上のベース部材上に遊技用コイン状部材を収容する貯蔵容器（ホッパ）を設け、複数の分離孔を形成して前記ベース部材上に配置した送出ロータの回転によって、前記貯蔵容器（ホッパ）に収容したコイン状部材を１枚ずつ送出口から送出するコイン状部材送出装置において、前記貯蔵容器（ホッパ）内には、前面側の壁に沿って側面側の壁に形成したオーバーフロー出口に向かって低くなるようにオーバーフローガイド部が傾斜設置され、前記貯蔵容器（ホッパ）の前壁には、前記オーバーフローガイド部の下方空間に対応して指掛け式引き出し用取っ手を配置した構成であり、本発明の実施例を以下に記載する。
【実施例１】
【００１０】
次に、本発明の実施の形態について説明する。図１は本発明に係るコイン状部材送出装置の分解斜視図、図２は本発明に係るコイン状部材送出装置を備えた遊技機の開扉正面図、図３は本発明に係るコイン状部材送出装置の斜視図、図４は本発明に係るコイン状部材送出装置の一部断面の正面図、図５は本発明に係るコイン状部材送出装置の送出ロータとロータガイドリングの関係を示す断面図、図６は本発明に係るコイン状部材送出装置のロータガイドリングの係止状態を示す上面図、図７は本発明に係る引き出し取っ手部の断面図、図８は本発明に係る引き出し取っ手部を別物とした場合の断面図である。
【００１１】
本発明の実施形態を図に基づき説明する。１は硬貨、遊技用メダル等のコイン状部材１００を使用して遊技するための遊技機であり、図２に示すものは、コイン状部材（遊技用メダル）１００を使用するスロットマシンやパチスロ機である遊技機１の扉を開いた状態の正面図である。遊技機１内には、遊技機１で使用するコイン状部材（遊技用メダル）１００を収納し、必要に応じて所定数のコイン状部材（遊技用メダル）１００を送出する機能のコイン状部材送出装置２が設置されている。
【００１２】
コイン状部材送出装置２は以下の構成をなす。即ち、金属製の架台３の上には、合成樹脂製のベース部材４が複数箇所をネジ６によって取り付けられ、ベース部材４上には、円形状のコイン状部材１００を収納する収容部５を形成する合成樹脂製の貯蔵容器（ホッパ）５Ｐが、ベース部材４に対してネジ又は係止装置４４によって着脱自在に取り付けられている。貯蔵容器（ホッパ）５Ｐは、上面と下面にそれぞれ開口５Ａ、５Ｂを有し、下面開口５Ｂは略円形をなす。この下面開口５Ｂに対応してベース部材４上には、複数の分離孔１０を形成した合成樹脂製の送出ロータ７が配置され、送出ロータ７は、ベース部材４の下側に取り付けた電動機装置８からベース部材４を貫通した回転軸９の先端部に取り付けられている。
【００１３】
回転軸９の先端部に取り付けられた送出ロータ７は、図５に示すように、ベース部材４の上面に形成した円形状の窪み４Ａに配置され、窪み４Ａの表面から若干離れた状態で電動機装置８によってＲ方向へ回転する構成である。送出ロータ７の上面周縁部と周囲面と若干の間隔を存して送出ロータ７の上面周縁部と周囲面を覆うようにロータガイドリング２０が設けられている。ロータガイドリング２０は、窪み４Ａを取り囲むように窪み４Ａよりも高い位置に形成した円形状の段部４Ｂに載置され、ベース部材４に形成した係止爪部２１によってベース部材４の所定位置に保持される。ロータガイドリング２０は、送出ロータ７の上面周縁部を覆うリング部２０Ａから外方へ広がるように傾斜したリング部２０Ｂを形成しており、貯蔵容器（ホッパ）５Ｐの円形状の下面開口５Ｂが、リング部２０Ａ、２０Ｂに沿うように、貯蔵容器（ホッパ）５Ｐがベース部材４に取り付けられる。
【００１４】
送出ロータ７が回転軸９の先端部に取り付けられて窪み４Ａに配置された状態で、図６において、ロータガイドリング２０の周縁部に形成した切り欠き２０Ｃを係止爪部２１に対応させるように、ロータガイドリング２０を段部４Ｂに載置し、この状態で、ロータガイドリング２０を時計方向へ回動させることによって、図６に示すように、ロータガイドリング２０が係止爪部２１の下側に潜り込んで係止されると共に、ロータガイドリング２０の端部２０Ｄがベース部材４に形成したストッパ段部２２に当接して、ロータガイドリング２０が所定位置に保持される。
【００１５】
送出ロータ７は、同心円上に複数の分離孔１０（図示のものは６個の分離孔を有する）を略等間隔に配置した円盤状をなし、各分離孔１０は、コイン状部材１００の直径よりも若干大きい直径でもって送出ロータ７を上下に円形状に貫通している。各分離孔１０はその底部に送出ロータの周縁に臨む開放出口を形成している。この構成において、図６で時計回りの送出ロータ７の回転によって、貯蔵容器（ホッパ）５Ｐのコイン状部材１００は、１枚ずつ分離して分離孔１０に順次入り込み、分離孔１０の底部に入り込んだコイン状部材１００は、送出ロータ７の回転に伴ってベース部材４の上面を滑りつつ、前記開放出口から送出部１３へ向けて押し出される。
【００１６】
送出ロータ７から押し出されるコイン状部材１００は、バネ付勢された可動体１６を押し退けつつ送出部１３へ進み、コイン状部材１００の直径部が通過したとき、バネ力によって復帰する可動体１６によって、送出口１４方向へ弾き飛ばされる仕組みである。送出部１３には、通過するコイン状部材１００の数を計数する計数部の検知センサが配置されており、この検知センサを含めて送出部１３の上面は、カバー３２で覆われている。
【００１７】
カバー３２は、ベース部材４の上面に形成した係止部３３の下側に潜り込んで係止され他端側はネジによってベース部材４にネジ止めされる。このカバー３２の下面と送出部１３の上面との間隔が、コイン状部材１００の厚さよりも若干大きい寸法であり、コイン状部材通路を形成している。送出部１３のコイン状部材通路の出口が、コイン状部材１００の送出口１４となる。送出口１４から送出されるコイン状部材１００は、誘導樋（図示せず）を通って遊技機１の前面に設けた受け皿１Ａへ導入される。このため、コイン状部材送出装置２は、図２に示すように、コイン状部材１００の送出口１４が前面に向くように遊技機１内に設置される。この構成において、遊技機１のコイン状部材挿入口（図示せず）へ挿入されたコイン状部材１００は、選別計数装置４０を経てガイド樋４１から立った状態で転動しつつ、貯蔵容器（ホッパ）５Ｐの入口開口５Ｅから貯蔵容器（ホッパ）５Ｐ内へ収容される。
【００１８】
貯蔵容器（ホッパ）５Ｐには、前面側の壁に入口開口５Ｅが形成され、側面側の壁にオーバーフロー出口５Ｘが形成されており、貯蔵容器（ホッパ）５Ｐ内には、前面側の壁に沿って入口開口５Ｅからオーバーフロー出口に向かって低くなるように、樋状のオーバーフローガイド部４２が傾斜して設けられている。入口開口５Ｅから貯蔵容器（ホッパ）５Ｐ内に入ったコイン状部材１００のうち、オーバーフローするコイン状部材１００は、オーバーフローガイド部４２の上を滑ってオーバーフロー出口５Ｘから回収ボックス３６へ収納される。
【００１９】
導電部材３０がベース部材４の上面に設けられ、送出ロータ７の分離孔１０のコイン状部材１００と接触して静電気を逃がす仕組みであり、遊技機１の金属部に支持される金属製の架台３を通して、この静電気が逃げる仕組みである。金属製の架台３の左右両側フランジ部３７は、遊技機１の内部の金属製底壁に構成された金属製レール部１Ｒに対して、前後方向へ引き出し収納自在に載置され、コイン状部材送出装置２が、遊技機１内に前後方向へ引き出し収納自在に載置された構成である。
【００２０】
コイン状部材送出装置２の修理、点検、詰まったコイン状部材１００や内部に入った異物の取り除き等の場合には、遊技機の前面扉を開いて、コイン状部材送出装置２を前方へ取り出すことが必要となる。貯蔵容器（ホッパ）５Ｐ内にコイン状部材１００が略満杯状態に収容された状態では、コイン状部材送出装置２全体の重量がかなり重くなる。上記のように、レール部１Ｒによって遊技機１内に前後方向へ引き出し収納自在に載置された構成では容易に引き出し可能である。
【００２１】
このように、レール部１Ｒで支持した場合、重量のあるコイン状部材送出装置２を遊技機１の前方へ向けて、安全に引き出し易くすることが必要となる。このため、貯蔵容器（ホッパ）５Ｐの前面側の壁５Ｐ１には、オーバーフローガイド部４２の下方（下側）に指掛け式引き出し用取っ手８０を配置している。なお、この取っ手８０を他の部分に形成したときには、その部分が貯蔵容器（ホッパ）５Ｐ内へ張り出して、貯蔵容器（ホッパ）５Ｐの内容積が減少するが、本発明では、オーバーフローガイド部４２の下方（下側）空間を利用して、引き出し用取っ手８０を配置しているため、そのようなことがない。
【００２２】
貯蔵容器（ホッパ）５Ｐを合成樹脂製とすることによって、図７に示すように、オーバーフローガイド部４２と取っ手８０を貯蔵容器（ホッパ）５Ｐの前面側の壁５Ｐ１に一体成形する。このように、貯蔵容器（ホッパ）５Ｐを合成樹脂でインジェクション成形する場合、成形された貯蔵容器（ホッパ）５Ｐが金型から抜けるようにするために、オーバーフローガイド部４２の下側に肉抜き空間８０Ｂが形成される。この空間８０Ｂによって、この部分では前面側の壁５Ｐ１が貯蔵容器（ホッパ）５Ｐの内側へ寄った状態となるため、貯蔵容器（ホッパ）５Ｐの容積はこの分小さくなるが、本発明は、この空間８０Ｂを有効利用することも特徴の一つとしている。即ち、この空間８０Ｂに指先が入り込むように、空間８０Ｂの前壁を指掛け部８０Ａとした取っ手８０を形成する。そして、指掛け部８０Ａへの指先７２の掛かりを良好とするために、指掛け部８０Ａの下端は、それぞれの指先７２が嵌り込むように上方へ窪んだ指掛け凹部を形成している。
【００２３】
このように、貯蔵容器（ホッパ）５Ｐを合成樹脂製とすることによって、オーバーフローガイド部４２と取っ手８０とを、貯蔵容器（ホッパ）５Ｐの前面側の壁５Ｐ１に一体成形できるため、オーバーフローガイド部４２と取っ手８０の形成が容易となり、上方へ窪んだ複数の指掛け凹部をなす指掛け部８０Ａの形成もし易くなる。また、指掛け部８０Ａの指掛け凹部によって、取っ手８０の位置表示が明確となると共に、そこに指先７２を掛けた状態で引き出し操作がし易くなる。
【００２４】
引き出し用取っ手８０は、図８に示すように、オーバーフローガイド部４２の下方空間８０Ｂに対応して、貯蔵容器（ホッパ）５Ｐの前面側の壁５Ｐ１の部分に、上方へ窪んだ指掛け凹部を備えた指掛け部８０Ａを形成した合成樹脂製取っ手８０を、ネジ８１又は接着等によって取り付けるようにすることもできる。
【００２５】
このような引き出し用取っ手８０によって、多数のコイン状部材１００が収納された状態のコイン状部材送出装置２の引き出し作業がし易くなり、合成樹脂製によって、指に優しく手指に損傷を与えない形状にし易い形状に形成できる。
【００２６】
なお、引き出し用取っ手８０は、コイン状部材が収納された状態のコイン状部材送出装置２の重心の前方に位置する前面壁５Ｐ１に配置すれば、コイン状部材が収納された重量感のあるコイン状部材送出装置２の引き出し作業が、より安定して行えるものとなる。
【産業上の利用可能性】
【００２７】
本発明は、上記実施形態に限定されず、本発明の技術的範囲を逸脱しない限り種々の変更が考えられ、それに係る種種の実施形態を包含するものである。
【図面の簡単な説明】
【００２８】
【図１】本発明に係るコイン状部材送出装置の分解斜視図である。（実施例１）
【図２】本発明に係るコイン状部材送出装置を備えた遊技機の開扉正面図である。（実施例１）
【図３】本発明に係るコイン状部材送出装置の斜視図である。（実施例１）
【図４】本発明に係るコイン状部材送出装置の一部断面の側面図である。（実施例１）
【図５】本発明に係るコイン状部材送出装置の送出ロータとロータガイドリングの関係を示す断面図である。（実施例１）
【図６】本発明に係るコイン状部材送出装置のロータガイドリングの係止状態を示す上面図である。（実施例１）
【図７】本発明に係る引き出し取っ手部の断面図である。（実施例１）
【図８】本発明に係る引き出し取っ手部を別物とした場合の断面図である。（実施例１）
【符号の説明】
【００２９】
１・・・・遊技機
１Ｒ・・・レール部
２・・・・コイン状部材送出装置
３・・・・架台
４・・・・ベース部材
４Ａ・・・窪み
５・・・・コイン状部材の収容部
５Ｅ・・・入口開口
５Ｐ・・・貯蔵容器（ホッパ）
５Ｐ１・・貯蔵容器（ホッパ）の前面側の壁
５Ｘ・・・オーバーフロー出口
７・・・・送出ロータ
８・・・・電動機装置
９・・・・回転軸
１０・・・分離孔
１３・・・送出部
１４・・・送出口
１６・・・可動体
２０・・・ロータガイドリング
２０Ｃ・・切り欠き
２１・・・係止爪部
３０・・・導電部材
３６・・・回収ボックス
３７・・・フランジ
４１・・・ガイド樋
４２・・・オーバーフローガイド部
８０・・・引き出し取っ手
８０Ａ・・指掛け部
８０Ｂ・・肉抜き空間
１００・・コイン状部材
【図１】
2008033421.tif 000003
【図２】
2008033421.tif 000004
【図３】
2008033421.tif 000005
【図４】
2008033421.tif 000006
【図５】
2008033421.tif 000007
【図６】
2008033421.tif 000008
【図７】
2008033421.tif 000009
【図８】
2008033421.tif 000010